(57)【要約】      （修正有）【課題】着脱が容易な内部傘具を有する杖を提供する。【解決手段】着脱が容易な内部傘具を有する杖は、根部１１を延伸し、前記根部が軸線方向に沿って平滑面を有し、平滑面上に弾性片を設け、弾性片の一端が平滑面上に固定され、弾性片の他端が自由端である把手１と、中空のチャンバ２１を内設し、チャンバの一端に開口２０を設け、開口にチャンバの軸線方向に沿った滑動溝を設け、滑動溝がスライドボタンを嵌合設置し、スライドボタン及びチャンバの開口の間に弾性部材を取り付け、チャンバの開口辺縁に、更に内向きに突起する内凸縁を設け、弾性片の自由端が前記内凸縁上に支持できる支持ロッド２とを含み、支持ロッドが更に傘具３を結合し、チャンバに収容される。把手及び支持ロッドの間の固定及び固定解除の操作が便利であり、複雑な操作が必要なく、前記杖の使用者に、雨天又は晴天を問わず使用させることができる。【選択図】図１
0003174224.tif 000002
【実用新案登録請求の範囲】
【請求項１】
根部を延伸し、前記根部が軸線方向に沿って平滑面を有し、前記平滑面上に弾性片を設け、前記弾性片の一端が平滑面上に固定され、弾性片の他端が自由端である把手と、
中空のチャンバを内設し、前記チャンバの一端に開口を形成し、前記根部が前記開口のチャンバ内に挿入され、前記チャンバの開口箇所にチャンバの軸線方向に沿った滑動溝を設け、前記滑動溝がスライドボタンを嵌合設置し、前記スライドボタン及びチャンバの開口の間の滑動溝に弾性部材を取り付け、前記チャンバの開口は、内向きに内凸縁を突起し、弾性片の自由端が前記内凸縁上に支持することができる支持ロッドと、
を含む着脱が容易な内部傘具を有する杖。
【請求項２】
前記根部上に更に突起を設け、前記チャンバの開口の内側に更に凹溝を設け、前記突起及び前記凹溝の位置が互いに対応結合し、弾性片及びスライドボタンの位置が互いに対応する請求項１に記載の着脱が容易な内部傘具を有する杖。
【請求項３】
前記内凸縁は、円錐形である請求項２に記載の着脱が容易な内部傘具を有する杖。
【請求項４】
前記支持ロッドが伸縮可能である請求項１に記載の着脱が容易な内部傘具を有する杖。
【請求項５】
前記支持ロッドは、更に傘具を結合し、該傘具は、前記チャンバを収容し、傘柄、傘骨、傘面、傘ロッド及びランナーを含み、前記傘柄は、凹溝を更に具え、傘ロッドに固定接続し、該ランナーは、該傘ロッドに活動可能に結合し、該傘骨の一側にヒンジ接続し、該傘面に結合する傘骨の一端は、傘ロッドの端部にヒンジ接続し、畳んだ後の傘骨の端部を前記凹溝中に収納することに用い、畳んだ後の傘骨が前記傘ロッドを堅く覆い、ランナー外周を覆わず、傘具をより繊細にすることができる請求項１乃至４の何れか１項に記載の着脱が容易な内部傘具を有する杖。
【請求項６】
前記傘ロッドは、更に複数の伸縮段を含み、該各伸縮段の断面積は、傘柄方向に向けて順に縮小し、最小断面積の伸縮段は、傘柄の凹溝内側に結合し、該最小断面積の伸縮段が凹溝内で占有する空間が少なく、前記傘柄凹溝周壁が囲い定義する内部容積が比較的大きな空間を形成し、傘具の傘骨端部及びランナーを収容することに用いる請求項５に記載の着脱が容易な内部傘具を有する杖。
【考案の詳細な説明】
【技術分野】
【０００１】
本考案は、杖に関し、特に、着脱が容易な内蔵傘具を有する杖に関する。
【背景技術】
【０００２】
従来技術、例えば、米国公開第US20080087310号の「杖傘」の特許の図１中には、雨傘及び杖の結合を見ることができ、そのうち、傘ロッドは、杖の杖ロッドであり、雨傘の把手は、杖の柄であるが、その問題は、以下のとおりである：
（１）雨傘を使用する時、杖を要する者、例えば、老人は、該杖を同時に使用することができず、杖の機能を失う；
（２）杖が雨傘を兼ね、該杖は、杖伸縮機能を具備せず、それぞれの身長の使用者に適合することができない；
（３）雨傘が杖の外周に露出し、外部との摩擦で損壊し、杖の美観を失い易い。
【０００３】
また、市場では、大きな断面積の直径の杖を有し、その把手及び杖は、螺合構造であり、該把手の螺子を開き、一般の雨傘が該比較的大きな断面の中空杖ロッドのチャンバ内に安置することができ、該傘は、全体的に小さく、繊細に特別に設計し、一般の杖チャンバ内への結合に適合することができない。従って、該従来の杖の問題は、把手及び支持ロッドの間の固定及び固定解除が把手及び杖ロッドの螺合構造を開く必要があり、比較的複雑であり、操作が困難であり、杖ロッドの体積が膨大であり、該杖の重量が重く、携帯使用に適合せず、伸縮使用することもできない。
【先行技術文献】
【特許文献】
【０００４】
【特許文献１】特開２００１−７００２１号公報
【考案の概要】
【考案が解決しようとする課題】
【０００５】
本考案の目的は、着脱が容易な内蔵傘具を有する杖を提供することであり、把手及び支持ロッドの間の固定及び固定解除の着脱操作が便利であり、前記杖の支持ロッドのチャンバ内に傘具を設置し、使用者が傘具を取り出し使用すると同時に杖を利用することができ、傘具が支持ロッドチャンバ内に結合し、傘具、杖外部に美観を保護することができ、本考案の杖は、同時に伸縮機能を具える。
【課題を解決するための手段】
【０００６】
上記の目的を実現する為、本考案が提供する着脱が容易な内部傘具を有する杖は、
根部を延伸し、前記根部が軸線方向に沿って平滑面を有し、前記平滑面上に弾性片を設け、前記弾性片の一端が平滑面上に固定され、弾性片の他端が自由端である把手と、
中空のチャンバを内設し、前記チャンバの一端に開口を形成し、前記根部が前記開口のチャンバ内に挿入され、前記開口箇所にチャンバの軸線方向に沿った滑動溝を設け、前記滑動溝がスライドボタンを嵌合設置し、前記スライドボタン及びチャンバの開口の間に弾性部材を取り付け、前記チャンバの開口は、内向きに内凸縁を突起し、弾性片の自由端が前記内凸縁上に支持することができる支持ロッドと、
を含む。
【０００７】
前記着脱が容易な内部傘具を有する杖は、そのうち、前記根部上に更に突起を設け、前記チャンバの開口の内側に更に凹溝を設け、弾性片及びスライドボタンの位置が互いに対応し、前記突起及び前記凹溝の位置が互いに対応する。
【０００８】
本考案の実施例において、前記根部及び把手の接続箇所に密封リングを設ける。
【０００９】
本考案の実施例において、前記支持ロッドは、伸縮でき、支持ロッドが複数の伸縮継手を有し、そのうち、１つの前記伸縮継手上に複数の固定孔を設け、該伸縮継手と隣り合う伸縮継手上に１つの固定キーを設け、前記固定キーは、そのうち、１つの固定孔と組み合わさることができる。
【００１０】
本考案の実施例において、該傘具は、折り畳み傘を有し、そのうち、前記傘具は、傘柄、傘骨、傘面、傘ロッド及びランナーを含み、前記傘柄は、凹溝を更に具え、傘ロッドに固定接続し、該ランナーは、該傘ロッドに活動可能に結合し、該傘骨の一側にヒンジ接続し、該傘面に結合する傘骨の一端は、傘ロッドの端部にヒンジ接続し、畳んだ後の傘骨の端部を前記凹溝中に収納することに用いる。
好適には、傘骨の端部を前記凹溝中に収納することによって、畳んだ傘骨が前記傘炉度をしっかりと覆い、ランナーを覆わず、前記ランナーは、傘骨端に１つに併設され、傘柄の凹溝箇所に収納される。これは、現有の傘具と異なるので（現有の傘具の傘骨は、畳んだ後、ランナーを覆うので、畳んだ傘具の断面が比較的大きく、収納に不利である）、本考案の傘具は、畳み合わせた後、更に繊細であり、且つランナーが傘ロッドの伸縮段部を収納し、該傘具は、折り畳み傘として便利に杖に内蔵することができる。
【００１１】
本考案は以下の特徴を有する。
（１）根部を延伸し、前記根部が軸線方向に沿って平滑面を有し、前記平滑面上に弾性片を設け、前記弾性片の一端が平滑面上に固定され、弾性片の他端が自由端である把手と、
中空のチャンバを内設し、前記チャンバの一端に開口を形成し、前記根部が前記開口のチャンバ内に挿入され、前記チャンバの開口箇所にチャンバの軸線方向に沿った滑動溝を設け、前記滑動溝がスライドボタンを嵌合設置し、前記スライドボタン及びチャンバの開口の間の滑動溝に弾性部材を取り付け、前記チャンバの開口は、内向きに内凸縁を突起し、弾性片の自由端が前記内凸縁上に支持することができる支持ロッドと、
を含む着脱が容易な内部傘具を有する杖。
（２）前記根部上に更に突起を設け、前記チャンバの開口の内側に更に凹溝を設け、前記突起及び前記凹溝の位置が互いに対応結合し、弾性片及びスライドボタンの位置が互いに対応する（１）に記載の着脱が容易な内部傘具を有する杖。
（３）前記内凸縁は、円錐形である（２）に記載の着脱が容易な内部傘具を有する杖。
（４）前記支持ロッドが伸縮可能である（１）に記載の着脱が容易な内部傘具を有する杖。
（５）前記支持ロッドは、更に傘具を結合し、該傘具は、前記チャンバを収容し、傘柄、傘骨、傘面、傘ロッド及びランナーを含み、前記傘柄は、凹溝を更に具え、傘ロッドに固定接続し、該ランナーは、該傘ロッドに活動可能に結合し、該傘骨の一側にヒンジ接続し、該傘面に結合する傘骨の一端は、傘ロッドの端部にヒンジ接続し、畳んだ後の傘骨の端部を前記凹溝中に収納することに用い、畳んだ後の傘骨が前記傘ロッドを堅く覆い、ランナー外周を覆わず、傘具をより繊細にすることができる（１）乃至（４）の何れか１項に記載の着脱が容易な内部傘具を有する杖。
（６）前記傘ロッドは、更に複数の伸縮段を含み、該各伸縮段の断面積は、傘柄方向に向けて順に縮小し、最小断面積の伸縮段は、傘柄の凹溝内側に結合し、該最小断面積の伸縮段が凹溝内で占有する空間が少なく、前記傘柄凹溝周壁が囲い定義する内部容積が比較的大きな空間を形成し、傘具の傘骨端部及びランナーを収容することに用いる（５）に記載の着脱が容易な内部傘具を有する杖。
【考案の効果】
【００１２】
本考案の有益効果は、把手及び支持ロッドの間の固定及び固定解除の操作が便利であり、複雑な操作が必要なく、前記杖の使用者に、雨天又は晴天を問わず、傘具及び杖を同時に使用させることができ、使用者の外出に更に便利である。
【図面の簡単な説明】
【００１３】
【図１】本考案の内蔵傘具の着脱が容易な杖の立体分解構造の概略図である。
【図２】把手の根部の立体図である。
【図３】支持ロッドの立体図である。
【図４】図１のＡ−Ａの方向に観た図である。
【図５】図４のＢ−Ｂ断面図である。
【図６】弾性部材の延伸状態の説明図である。
【図７】弾性部材の圧縮状態の説明図である。
【図８】傘具を内蔵傘具（傘面を除く）の立体構造説明図である。
【図９】畳んだ後の傘具であり、そのランナーが傘の柄の凹溝に取り込まれていない状態の説明図である。
【図１０】図９中のＣ−Ｃ断面図である。
【考案を実施するための形態】
【００１４】
本考案の上記及びその他の特徴、利点について分かり易くするため、以下に図面に併せて、詳細に説明する。
【００１５】
図１〜図３を参照し、それは、本考案の着脱が容易な内蔵傘具を有する杖の立体分解構造の説明図である。そのうち、前記着脱が容易な内部傘具を有する杖は、根部１１を延伸し、前記根部１１が軸線方向に沿って平滑面１１１を有し、前記平滑面１１１上に弾性片１１２を設け、前記弾性片１１２の一端が平滑面１１１上に固定され、弾性片１１２の他端が自由端である把手１と、
中空のチャンバ２１を内設し、前記チャンバ２１の一端に開口２０を形成し、前記根部１１が前記開口２０のチャンバ２１内に挿入され、前記チャンバ２１の開口２０にチャンバ２１の軸線方向に沿った滑動溝２１１を設け、前記滑動溝２１１がスライドボタン２１２を嵌合設置し、前記スライドボタン２１２及びチャンバ２１の開口２０の間の滑動溝２１１に弾性部材２１３を取り付け、前記チャンバ２１の開口２０は、内向きに突起する凸縁２４を内設し、該弾性片１１２の自由端が前記内凸縁２４上に支持することができる支持ロッド２と、を含む。
【００１６】
前記把手１は、一体構造を採用することができ、把手１は、下向きに根部１１を突出延伸し、根部１１の端部断面は、円形又はその他の任意の形状であることができ、本考案が選択する実施例においては、前記根部１１の端部断面は、円形である。
【００１７】
前記支持ロッド２内に中空のチャンバ２１を設け、前記チャンバ２１の断面は、円形又はその他の根部１１の端部断面と対応する任意の形状であることができ、本考案の実施例において、前記チャンバ２１の端部断面は、円形である。前記支持ロッド２の上端は、把手１の根部１１と固定接続し、前記チャンバ２１は、傘具を収容することに用いる。
【００１８】
好適には、前記支持ロッド２は、伸縮可能であり、複数の伸縮継手２２を有し、そのうち１つの前記伸縮継手２２上に複数の固定孔２２１を設け、前記伸縮継手２２と隣り合う伸縮継手上の１つの固定キー２２２を設け、前記固定キー２２２は、押下すること及び跳ね上げることができ、固定キー２２２及びのうち１つの固定孔２２１の組み合わせを介して、前記杖の長さを調節することができ、異なる高さの使用者に適用することができる。
【００１９】
図２を参照し、それは、把手の根部の立体図である。前記根部１１は、軸線方向に沿って平滑面１１１を有し、前記平滑面１１１上に弾性片１１２を設け、前記弾性片１１２の一端は、平滑面１１１上に固定し、弾性片１１２の他端が自由端であり、前記自由端の通常状態は、チルト状態である。具体的には、前記弾性片１１２及び平滑面１１１は、螺子、釘等を用いて固定することができる。前記根部１１上に突起１１３を更に設け、前記突起１１３及び前記平滑面１１１が所定角度の分布を呈する。また、前記根部１１及び把手１の接続箇所に密封リング１２を設け、前記把手１及び前記支持部材２が接続する時、前記密封リング１２は、外部の雨水又は灰塵等の不純物が支持ロッド２のチャンバ２１内に進入することを効率的に防止することができる。
【００２０】
図３〜図７を参照し、それは、それぞれ支持ロッドの立体図、図１のＡ向きに観た図、図４のＢ−Ｂ断面図、弾性部材が延伸状態にある説明図及び弾性部材が圧縮状態にある説明図である。前記支持部材２のチャンバ２１の一端に有する開口２０は、チャンバ２１の軸線方向に沿った一段の滑動溝２１１を設け、前記滑動溝２１１は、スライドボタン２１２を嵌合設置し、前記スライドボタン２１２及びチャンバ２１の開口２０の間に弾性部材２１３を取り付け、該弾性部材２１３は、本実施例では、弾性部材である。前記チャンバ２１の開口２０の内側に更に凹溝２３を設け、前記凹溝２３及び前記滑動溝２１１も、上記の所定角度の分布を呈し、弾性片１１２及びスライドボタン２１２の位置が互いに対応する時、根部１１の突起１１３及び前記凹溝２３の位置も対応する。また、前記チャンバ２１の開口辺縁箇所に内向きに突起する内凸縁２４を設け、支持弾性部材１１２の自由端を嵌合し、固定することに用い、該内凸縁２４は、本実施例では、円錐形であり、円錐形の比較的狭い直径の錐口がチャンバ２１内部方向に向き、該内凸縁２４が円錐形を形成する表面は、面取り角の定位機能を有し、前記根部１１が開口２０に結合し、該突起１１３が凹溝２３に結合し、操作を固定する時、該突起１１３は、内凸縁２４の円錐形表面の滑動を利用し、該凹溝２３との嵌合箇所を探し、確実で円滑に結合することができる。
【００２１】
前記把手1及び前記支持ロッドを接合する必要がある時、根部１１の突起１１３を前記支持ロッド２の凹溝２３と位置合わせし、嵌合し、把手１の根部１１を前記チャンバ２１内に挿入させ、この時、弾性片１１２の自由端は、前記内凸縁２４の内壁２４１上に支持し、それにより、把手１を支持ロッド２と相互に固定させる。同時に、弾性部材２１３が延伸状態を呈することにより、スライドボタン２１２が弾性片１１２の自由端を圧迫することがないよう保証することができ、把手１及び支持ロッド２が意図せずに固定解除することがないようにする。
【００２２】
図１を参照し、本考案の実施例は、前記支持ロッド２が更に傘具３を結合し、該傘具３が前記チャンバ２１内に収容される。
【００２３】
図８〜図１０を参照し、本実施例の傘具は、折り畳み傘を採用し、それは、それぞれ前記傘具（傘面を除く）の立体構造説明図であり、畳んだ後の傘具のランナーが傘柄の凹溝に収容されていない状態の説明図、及び畳んだ後の傘具のランナーが傘柄の凹溝に収容されていない状態のＣ−Ｃ断面図である。前記傘具３は、傘柄３１、傘骨３２、傘面３３、傘ロッド３１１及びランナー３４を含み、前記傘柄３１は、更に凹溝３１２を有し、該傘ロッド３１１を固定接続し、該ランナー３４は、該傘ロッド３１１に活動的に結合し、該傘骨３２一側にヒンジ接合し、該傘面３３が結合する傘骨３２の一端は、傘ロッド３１１の端部にヒンジ接合し、畳んだ後の傘骨３２の端部を前記凹溝３１２中に首脳することに用いる。傘ロッド３１１の他側は、伸縮可能な機能であり、前記凹溝３１２は、畳み合わせた傘骨３２端部を前記凹溝３１２中に収納することができ、傘骨３２の散開を効率的に防止することができる。
【００２４】
また、前記ランナー３４は、前記傘骨３２の一側にヒンジ接合し、畳み合わせた後の傘骨３２が前記傘ロッド３１１をしっかりと覆い、ランナー３４の外周を覆わず、従来の傘具の傘骨の折り畳み箇所に比較し、ランナー３４の少し外側を包囲するので、本考案の傘骨３２の折り畳み後に傘具３がより繊細である。前記傘具３（折り畳み傘）は、該傘ロッド３１１が更に、複数の伸縮段３１１０を含み、該各伸縮段３１１０の断面積は、傘柄３１方向に向かって順に縮小し、最小面積の伸縮段３１１０は、傘柄３１の凹溝３１２内側に結合し、該最小面積の伸縮段３１１０が凹溝３１２内で占有する空間が少なく、前記傘柄３１の凹溝３１２周壁が囲い定義する内部容積は、比較的大きな空間を形成し、折り畳んだ傘骨３２端部及びランナー３４を主要することに用いる。
【００２５】
図２及び図４を同時に参照し、チャンバ２１内の傘３を取り出す必要があり、前記スライドボタン２１３２を滑動溝２１１に沿ってチャンバ２１の開口２０に向けて移動する時、前記弾性部材２１３が圧縮状態を呈し、前記スライドボタン２１２が弾性片１１２の自由端を圧迫し、それを前記平滑面１１１に貼合させ、把手１及び支持ロッド２に固定解除させる。
【００２６】
前記傘面３３は、前記傘骨３２上に設けられ、傘骨３２と接続し、傘面３３上に更に結び紐３３１を有し、前記結び紐３３１の一端が前記傘面３２上に接続し、他端が締結装置３３２を接続し、前記結び紐３３１を折り畳み後の傘面３３の少なくとも周囲に巻き付け、締結装置３３２を利用し、前記結び紐３３１上に固定し、それにより折り畳み後の傘面３３を散開させず、前記締結装置３３２は、ボタン、マジックテープ（登録商標）等を採用することができる。
【００２７】
上記のように、上記構造を採用した杖は、把手及び支持ロッドの間の固定及び固定解除の着脱操作が便利であり、前記杖の支持ロッドチャンバ内に雨傘を設置させ、使用者が傘具を取り出し使用すると同時に杖を利用でき、傘具が支持ロッドチャンバ内に結合し、傘具、杖外部の美観を保護し、本考案の杖は、同時に伸縮機能を具える。雨天又は晴天を問わず、傘具及び杖を同時に使用することができ、使用者の外出を更に便利にする。
【００２８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２９】
１  把手
１１  根部
１１１  平坦面
１１２  弾性片
１１３  突起
１２  密封リング
２  支持ロッド
２０  開口
２１  チャンバ
２１１  滑動溝
２１２  スライドボタン
２１３  弾性部材
２２  伸縮継手
２２１  固定孔
２２２  固定キー
２３  凹溝
２４  内凸縁
２４１  内壁
３  傘具
３１  傘柄
３１１  傘ロッド
３１１０  伸縮段
３１２  凹溝
３２  傘骨
３３  傘面
３３１  結び紐
３３２  締結装置
３４  ランナー
【図１】
0003174224.tif 000003
【図２】
0003174224.tif 000004
【図３】
0003174224.tif 000005
【図４】
0003174224.tif 000006
【図５】
0003174224.tif 000007
【図６】
0003174224.tif 000008
【図７】
0003174224.tif 000009
【図８】
0003174224.tif 000010
【図９】
0003174224.tif 000011
【図１０】
0003174224.tif 000012